(57)【要約】【課題】本発明は、継続的な血圧値の測定が可能でありかつ被検体の一部を安定して押圧することのできる血圧計の提供を目的とする。【解決手段】本発明に係る血圧計は、外耳の一部を挟持して押圧し、血圧値を測定する血圧計であって、耳介の裏側を押さえるパッドを設け、当該パッドがカフを保持するアームの動きを制限し、アームを安定させることを特徴とする。具体的には、互いに対向し、被検体の一部を挟んで押圧する２個のカフと、各一端が前記カフの１個を保持し、保持している前記カフの１個を前記被検体の一部に押さえる第１アーム及び前記第１アームよりも短い第２アームと、前記第１アームの一端へ向けて前記被検体の一部とは異なる前記被検体の他の一部を押さえるパッドと、前記パッドを保持し、前記パッドと前記第１アームの他端とを接続するパッド保持部と、を備える。【選択図】図１
2007029244.tif 000002
【特許請求の範囲】
【請求項１】
互いに対向し、被検体の一部を挟んで押圧する２個のカフと、
各一端が前記カフの１個を保持し、保持している前記カフの１個を前記被検体の一部に押さえる第１アーム及び前記第１アームよりも短い第２アームと、
前記第１アームの一端へ向けて前記被検体の他の一部を押さえるパッドと、
前記パッドを保持し、前記パッドと前記第１アームの他端とを接続するパッド保持部と、を備えることを特徴とする血圧計。
【請求項２】
前記パッド保持部は、前記第１アーム及び前記第２アームの一端を含む面内で、前記第１アームの他端を中心に前記パッドを回転させる回転機構を有することを特徴とする請求項１に記載の血圧計。
【請求項３】
前記回転機構は、前記被検体の他の一部を押さえる方向へ復元力の働く回転系のバネを含むことを特徴とする請求項２に記載の血圧計。
【請求項４】
前記回転機構は、前記被検体の他の一部から遠ざかる方向への回転を制限するラッチ機構を含むことを特徴とする請求項２又は３に記載の血圧計。
【請求項５】
前記パッド保持部は、前記第１アームの一端と他端とを結ぶ直線に平行に前記パッドを移動させる移動機構を有することを特徴とする請求項１から４に記載のいずれかの血圧計。
【請求項６】
前記移動機構は、前記被検体の他の一部を押さえる方向へ復元力の働く並進系のバネを含むことを特徴とする請求項５に記載の血圧計。
【請求項７】
前記移動機構は、前記被検体の他の一部から遠ざかる方向への移動を制限するラッチ機構を含むことを特徴とする請求項５又は６に記載の血圧計。
【請求項８】
前記パッドは、前記第１アームの一端の方向へ端部が折り曲げられることを特徴とする請求項１から７に記載のいずれかの血圧計。
【請求項９】
前記パッドは、端部を折り曲げた状態で保持する固定機構を含むことを特徴とする請求項８に記載の血圧計。
【請求項１０】
前記パッドは、前記第１アーム及び前記第２アームの一端を含む面での断面が略三角形であることを特徴とする請求項１から９に記載のいずれかの血圧計。
【請求項１１】
前記パッドは、前記被検体の他の一部を押さえる側が凹むように湾曲していることを特徴とする請求項１から１０に記載のいずれかの血圧計。
【請求項１２】
前記第１アームに前記パッドと対向して配置され、前記パッドとで前記被検体の他の一部を挟持する挟持用パッドをさらに備えることを有することを特徴とする請求項１から１１に記載のいずれかの血圧計。
【発明の詳細な説明】
【技術分野】
【０００１】
本発明は、継続して血圧を測定する血圧計に関する。
【背景技術】
【０００２】
高齢化が進み、成人の生活習慣病への対応が社会的に大きな課題となっている。特に高血圧に関連する疾患の場合、長期の血圧値の収集が非常に重要である点が認識されている。このような観点から、血圧値を始めとして、脈拍、脈波、心電、体温又は動脈血酸素飽和度等の生体情報を継続的に測定する測定装置が開発されている。
【０００３】
生体情報を継続的に測定する測定装置として、外耳道に常時装着する患者モニタ装置がある（例えば、特許文献１参照。）。この装置は、被検体内へ放射した赤外光、可視光の散乱光の受光量から血圧値などを算出するものである。しかし、この患者モニタ装置では、血圧計の具体的な構成は示されていない。
【０００４】
ここで、耳介の名称は非特許文献１、２、３による。また、耳介の表側とは耳介の顔面側に面した側を示し、耳介の裏側とは耳介の後頭部に面した側を示す。また、耳介の上端部とは、耳介と側頭部との境界における頭頂側の端部である。耳介の下端部とは、耳介と側頭部との境界における首側の端部である。
【特許文献１】特開平９−１２２０８３号公報
【非特許文献１】Ｓｏｂｏｔｔａ  図説人体解剖学第１巻（監訳者：岡本道雄）、ｐ．１２６、（株）医学書院、１９９６年１０月１日発行
【非特許文献２】Ｓｏｂｏｔｔａ  図説人体解剖学第１巻（監訳者：岡本道雄）、ｐ．１２７、（株）医学書院、１９９６年１０月１日発行
【非特許文献３】からだの地図帳  （監修・解説：高橋長雄）、ｐ．２０、（株）講談社、２００４年１月２９日発行
【発明の開示】
【発明が解決しようとする課題】
【０００５】
外耳道を含む外耳は、常時カフを装着していても指先や腕と比較して被検体への負担が少ない。しかし、被検体の聴覚を妨げないアームを用いて被検体の一部を押圧するので、被検体の押圧の際にアームが大きく動き、被検体に加えるべき圧力が正しく印加されないという問題があった。
【０００６】
本発明は、継続的な血圧値の測定が可能でありかつ被検体の一部を安定して押圧することのできる血圧計の提供を目的とする。
【課題を解決するための手段】
【０００７】
本発明に係る血圧計は、外耳の一部を挟持して押圧し、血圧値を測定する血圧計であって、耳介の裏側を押さえるパッドを設け、当該パッドがカフを保持するアームの動きを制限し、アームを安定させることを特徴とする。
【０００８】
具体的には、本発明に係る血圧計は、互いに対向し、被検体の一部を挟んで押圧する２個のカフと、各一端が前記カフの１個を保持し、保持している前記カフの１個を前記被検体の一部に押さえる第１アーム及び前記第１アームよりも短い第２アームと、前記第１アームの一端へ向けて前記被検体の一部とは異なる前記被検体の他の一部を押さえるパッドと、前記パッドを保持し、前記パッドと前記第１アームの他端とを接続するパッド保持部と、を備える。
【０００９】
２個のカフが被検体の一部を挟んで押圧するので、被検体の外耳を押圧して血圧値を測定することができる。さらに、２個のカフが被検体の一部を挟んで押圧する際、パッドが被検体の他の一部となる耳介の裏側を押さえているので、パッドと接続されている第１アームの動きを制限することができる。これにより、２個のカフは被検体の一部を安定して押圧することができる。したがって、継続的な血圧値の測定が可能でありかつ被検体の一部を安定して押圧することのできる血圧計の提供が可能となる。
【００１０】
前記パッド保持部は、前記第１アーム及び前記第２アームの一端を含む面内で、前記第１アームの他端を中心に前記パッドを回転させる回転機構を有することが好ましい。
【００１１】
パッドが回転するので、パッドの着脱を容易にすることができる。また、第１アームとパッドとで被検体の耳輪を挟持することができるので、カフの脱落を防ぐことができる。
【００１２】
前記回転機構は、前記被検体の他の一部を押さえる方向へ復元力の働く回転系のバネを含むことが好ましい。
【００１３】
耳介の裏側を押さえる方向へ常時力を加えることができるので、第１アームとパッドとで被検体の耳介を安定に挟持することができる。これによりカフの脱落を防ぐことができる。
【００１４】
前記回転機構は、前記被検体の他の一部から遠ざかる方向への回転を制限するラッチ機構を含むことが好ましい。
【００１５】
パッドが被検体の耳介から外れる方向へのパッドの動きを制限するので、カフの脱落を防ぐことができる。
【００１６】
前記パッド保持部は、前記第１アームの一端と他端とを結ぶ直線に平行に前記パッドを移動させる移動機構を有することが好ましい。
【００１７】
パッドが第１アームの一端の方向へ移動するので、耳介の大きさに合わせてアームを装着することができる。また、第１アームを動かすことなくパッドを装着できるので、カフの装着を容易にすることができる。
【００１８】
前記移動機構は、前記被検体の他の一部を押さえる方向へ復元力の働く並進系のバネを含むことが好ましい。
【００１９】
耳介の裏側を押さえる方向へ常時力を加えることができるので、カフの脱落を防ぐことができる。
【００２０】
前記移動機構は、前記被検体の他の一部から遠ざかる方向への移動を制限するラッチ機構を含むことが好ましい。
【００２１】
パッドが被検体の耳介から外れる方向へのパッドの動きを制限するので、カフの脱落を防ぐことができる。
【００２２】
前記パッドは、前記第１アームの一端の方向へ端部が折り曲げられることが好ましい。
【００２３】
耳介の裏側の形状にパッドを変形させることができるので、パッドのより広い面で耳介の裏側を押さえることができる。
【００２４】
前記パッドは、端部を折り曲げた状態で保持する固定機構を含むことが好ましい。
【００２５】
パッドの端部を折り曲げた状態で保持できるので、パッドの装着位置をさらに安定させることができる。
【００２６】
前記パッドは、前記第１アーム及び前記第２アームの一端を含む面での断面が略三角形であることが好ましい。
【００２７】
パッドは、被検体の耳介の裏側を押さえる面に隣り合う面が後頭部を押さえることができる。これにより、パッドを耳介の裏側により安定して保持することができる。
【００２８】
前記パッドは、前記被検体の他の一部を押さえる側が凹むように湾曲していることが好ましい。
【００２９】
耳介の裏側の形状に合わせて湾曲しているので、パッドのより広い面で耳介の裏側を押さえることができる。これにより、パッドの装着位置をさらに安定させることができる。
【００３０】
前記第１アームに前記パッドと対向して配置され、前記パッドとで前記被検体の他の一部を挟持する挟持用パッドをさらに備えることが好ましい。
【００３１】
耳介の裏側と耳介の表側から耳介を挟むことができるので、パッドの脱落を防ぎ、アームをさらに安定させることができる。
【発明の効果】
【００３２】
本発明によれば、耳介の裏側を押さえるパッドがアームを安定させるので、継続的な血圧値の測定が可能でありかつ被検体の一部を安定して押圧することのできる血圧計の提供が可能となる。
【発明を実施するための最良の形態】
【００３３】
添付の図面を参照して本発明の実施の形態を説明する。以下に説明する実施の形態は本発明の構成の例であり、本発明は、以下の実施の形態に制限されるものではない。
【００３４】
図１は、本実施形態に係る血圧計の第１形態を示す模式図である。図１に示す血圧計９１は、互いに対向し、被検体の一部１０５を挟んで押圧する２個のカフ１３ａ、１３ｂと、一端３１ａがカフ１３ａを保持し、保持しているカフ１３ａを被検体の一部１０５に押さえる第１アーム１１と、第１アーム１１よりも短く、一端３１ｂがカフ１３ｂを保持し、保持しているカフ１３ｂを被検体の一部１０５に押さえる第２アーム１２と、第１アーム１１の一端３１ａへの方向Ａへ向けて被検体の一部１０５とは異なる被検体の他の一部１０８を押さえるパッド１４と、パッド１４を保持し、パッド１４と第１アーム１１の他端３２ａとを接続するパッド保持部１５と、を備える。さらに、血圧計９１は、第１アーム１１にパッド１４と対向して接続され、パッド１４とで被検体の他の一部１０８を挟持する挟持用パッド１６と、第１アーム１１及び第２アーム１２を接続し、カフ１３ａ及び１３ｂの距離を可変する接続部２１と、カフ１３ａ及びカフ１３ｂの押圧する圧力を可変する空気ポンプ（不図示）と、被検体の一部１０５を押圧する圧力を検出する圧力検出手段（不図示）と、被検体の一部１０５の脈波を検出する脈波検出手段（不図示）と、を含む。
【００３５】
なお、図１では、被検体の一部として耳珠１０５を押圧する例を示す。被検体の一部は、これに限定するものではなく、例えば、耳輪１０６、対輪１０７、耳輪脚（不図示）又は対輪脚（不図示）のいずれかであってもよい。また、被検体の他の一部は、耳介のうち、耳介の裏側に面したいずれの部位であってもよい。図１では、一例として、パッド１４が、被検体の他の一部１０８として、耳介の付け根から対輪１０７と耳輪１０６とで挟まれた耳介の窪みまでを、耳介の裏側から押さえている様子を示す。
【００３６】
第１アーム１１及び第２アーム１２は、各一端３１ａ、３１ｂがカフ１３ａ、１３ｂの１個を保持し、保持しているカフ１３ａ、１３ｂの１個を被検体の一部１０５に押さえるものである。すなわち、第１アーム１１は、一端３１ａがカフ１３ａを保持し、保持しているカフ１３ａを被検体の一部１０５に押さえるものである。第２アーム１２は、一端３１ｂがカフ１３ｂを保持し、保持しているカフ１３ｂを被検体の一部１０５に押さえるものである。第１アーム１１及び第２アーム１２は、被検体の一部１０５を挟持することのできるものが好ましい。また、各一端３１ａ、３１ｂが開閉し、第１アーム１１及び第２アーム１２の開き角が可変であることが好ましい。また、第１アーム１１及び第２アーム１２の開き角が所定角度で固定できるものが好ましい。所定角度は一定であってもよいし、可変であってもよい。また、パッド１４と接続される第１アーム１１は、耳輪１０６と接触する長さであることが好ましい。なお、図１では、棒状のアームを示したがこれに限定されるものではない。例えば、一部又は全部が湾曲しているものでもよい。湾曲は、耳介の表側に合わせて湾曲しているものが好ましい。
【００３７】
カフ１３ａ、１３ｂは、互いに対向し、被検体の一部１０５を挟んで押圧するものである。カフ１３ａ及びカフ１３ｂが被検体の一部１０５を押圧する際に対向していることが好ましい。また、カフ１３ａ及びカフ１３ｂは、挟持している被検体の一部１０５の脈動を停止させる程度の圧力に耐えるものが好ましい。カフ１３ａ、１３ｂとしては、例えば、膨張又は収縮する袋体を用いることができる。例えば、袋体が膨張して被検体の一部１０５を押圧するものである。袋体は、被検体の一部１０５を押圧する方向に膨張するものでもよいし、被検体の一部１０５を押圧する方向と略垂直な方向にも膨張するものでもよい。膨張又は収縮は、空気圧によるものでもよいし、圧電素子等の機械的なアクチュエータによるものでもよい。なお、カフ１３ａ及びカフ１３ｂは膨張又は収縮する袋体に限定するものではない。例えば、弾性体であってもよい。弾性体としては、後述のパッド１４と同様のものを用いることができる。また、カフ１３ａ及びカフ１３ｂの形状は、限定するものではない。例えば、球、楕円球、円柱又は楕円柱或いはこれらの一部とすることができる。さらに、カフ１３ａ及びカフ１３ｂは同一の形状及び材質であってもよいが、異なってもよい。例えば、カフ１３ａ又はカフ１３ｂのいずれかが袋体であってもよい。また、カフ１３ａ又はカフ１３ｂのいずれかが膨張又は収縮するものでもよい。
【００３８】
パッド１４は、第１アーム１１の一端３１ａへ向けて被検体の一部１０５とは異なる被検体の他の一部１０８を押さえるものである。被検体の他の一部１０８とは、例えば、耳介の裏側に面する耳介の少なくとも一部であり、後頭部１０９を含んでいてもよい。パッド１４としては、例えば、弾性体を用いることができる。弾性体としては、例えば、ゴム、プラスチック、金属又はセラミックス、これらの複合材料或いはこれらの混成複合材料を用いることができる。複合材料としては、例えば、繊維強化プラスチック等の繊維を分散材とした繊維強化複合材料を用いることができる。パッド１４は一体物で構成されていてもよいが、２以上の部材で構成されていてもよい。例えば、変形可能な袋体を用いてもよい。袋体の内部は、中空であってもよいし、水等の液体、ゲル、ゴム又は樹脂等の固体或いはこれらの混合物が収容されていてもよい。
【００３９】
パッド１４は、第１アーム１１の一端３１ａ及び他端３２ａ並びに第２アーム１２の一端３１ｂを含む面での断面が略三角形となっていることが好ましい。図１に示すパッド１４は、第１アーム１１の一端３１ａ及び他端３２ａ並びに第２アーム１２の一端３１ｂを含む面での断面を示し、パッド１４は略三角形となっている。図１に示すように、パッド１４が略三角形であるので、パッド１４が方向Ａへ押さえたときに、パッド１４の一方の面は被検体の他の一部１０８を耳介の裏側から押さえ、パッド１４の他方の面は後頭部１０９を押さえることができる。このように、パッド１４の断面が略三角形であれば、パッド１４が被検体の他の一部１０８及び後頭部１０９を押さえるので、パッド１４の装着位置をより安定させることができる。これにより、第１アーム１１の位置が安定するので、カフ１３ａ及びカフ１３ｂは被検体の一部１０５を安定して押圧することができる。
【００４０】
図２は、パッドの第１形態を示す模式図である。図２に示すパッド１４ａは、図１に示す被検体の他の一部１０８を押さえる側が凹むように湾曲している。すなわち、被検体の他の一部を押さえる方向Ａに湾曲している。図２では、パッド１４ａの全体が湾曲しているが、パッド１４ａの一部が湾曲していてもよい。例えば、パッド１４ａの被検体の他の一部を押さえる面が湾曲していてもよい。パッド１４ａは、耳介１０１の裏側の形状に沿って湾曲しているので、耳介１０１の裏側の広い範囲を方向Ａに押さえることができる。これにより、パッド１４ａの重力方向Ｇへの移動を防ぐことができる。さらに、パッド１４ａは、耳介の上端部１２１から耳甲介１１０の裏側にわたり方向Ａに押さえているので、パッド１４ａの重力方向Ｇへの移動をより防ぐことができる。
【００４１】
図３は、パッドの第２形態を示す模式図である。図３に示すパッド１４ｂは、図２に示したパッド１４ａが、耳介の上端部１２１から耳介の下端部１２２にわたり、耳介１０１の裏側の形状に沿って湾曲している。パッド１４ｂは、耳介の上端部１２１に加えて耳介の下端部１２２を方向Ａに押さえるので、パッド１４ｂの重力方向Ｇへの移動をさらに防ぐことができる。
【００４２】
図４は、パッドの第３形態を示す模式図である。図４に示すパッド１４ｃは、方向Ａへ端部３３及び端部３４が折り曲げられる機能を有する。方向Ａは、前述の図１で説明した被検体の他の一部１０８を押さえる方向である。パッド１４ｃとしては、例えば、パッド１４ｃの端部３３に固定されている支持体４１ａと、パッド１４ｃの端部３４に固定されている支持体４１ｃと、支持体４１ａ及び支持体４１ｃを接続している支持体４１ｂと、を有し、支持体４１ａ及び支持体４１ｂを接続する回転部４２ａが支持体４１ｂに対する支持体４１ａの角度を可変し、支持体４１ｂ及び支持体４１ｃを接続する回転部４２ｂが支持体４１ｂに対する支持体４１ｃの角度を可変するものを用いることができる。回転部４２ａ及び回転部４２ｂが回転軸となり、支持体４１ａ及び支持体４１ｃが回転するものでもよい。なお、折り曲げられるのは、端部３３又は端部３４のいずれかであってもよい。パッド１４ｃは、端部３３及び端部３４が折り曲げられるので、図に示すように耳介の裏側の形状に合わせてパッドを装着することができる。また、耳介の裏側の形状に合わせて端部が曲げられるので、パッドの装着が容易になる。
【００４３】
図４に示すパッド１４ｃは、端部３３及び端部３４を折り曲げた状態で保持する固定機構を含むことが好ましい。例えば、支持体４１ａと支持体４１ｂとのなす角度又は支持体４１ｃと支持体４１ｂとのなす角度を、所定の角度で固定することのできるロックヒンジを用いることができる。固定は、摩擦板によって固定するものでもよいし、凸部と凹部との勘合によって固定するものでもよい。例えば、支持体４１ｂに設けられた穴に、支持体４１ａに設けられた凸部が勘合するものを用いることができる。所定の角度は、１種類の角度に限定するものではなく複数でもよい。パッド１４ｃは、固定機構を含むので、装着が容易でありかつパッドの装着位置を安定させることができる。
【００４４】
図１に示すパッド保持部１５は、パッド１４を保持し、パッド１４と第１アーム１１の他端３２ａとを接続するものである。パッド保持部１５と第１アーム１１の他端３２ａとの接続は、固定によって接続されていてもよいし、回転機構又は移動機構を含む可動部を介して接続されていてもよい。パッド１４は、固定によって保持されていてもよいし、首振り機構等を含む可動部を介して保持されていてもよい。パッド保持部１５は、例えば、図１に示すような棒状体のものを用いることができる。パッド保持部１５は、パッド１４を押さえる力に耐えうる部材を含むことが好ましく、例えば、金属、プラスチック又は木或いはこれらの複合材料を用いることができる。
【００４５】
図５は、本実施形態に係る血圧計の第２形態を示す模式図である。図５に示す血圧計９３は、図１に示すパッド保持部１５に代えて、第１アーム１１の一端３１ａ及び他端３２ａ並びに第２アーム１２の一端３１ｂを含む面内で、第１アーム１１の他端３２ａを中心にパッド１４を回転させる回転機構を有するパッド保持部１５ａを備える。パッド保持部１５ａは、例えば、パッド１４を保持する支持体２２と、支持体２２を方向Ａ又は方向Ｂへ回転させる回転部２３とを備えるものである。方向Ａは、被検体の他の一部１０８を押さえる方向である。例えば、方向Ａは、第１アーム１１とパッド保持部１５ａとのなす角度Ｃが小さくなる方向とすることもできる。この場合、角度Ｃは被検体の他の一部１０８を挟む角度である。方向Ｂは、被検体の他の一部１０８から遠ざかる方向である。例えば、第１アーム１１と支持体２２とのなす角度Ｃが大きくなる方向とすることもできる。また、方向Ｂは、方向Ａの逆方向であってもよい。支持体２２は、例えば、金属、樹脂等の棒状体を用いることができる。回転部２３は、支持体２２を回転させる軸受けを第１アーム１１の他端３２ａに接続するものである。回転部２３は、他端３２ａに移動機構を介して支持体２２を接続するものであってもよい。パッド保持部１５ａが方向Ａ又は方向Ｂへの回転機構を有するので、パッド１４及び第１アーム１１は、被検体の他の一部１０８を挟むことができる。これにより、血圧計９３は、カフ１３ａ及びカフ１３ｂの脱落を防ぐことができる。
【００４６】
なお、図５に示すパッド保持部１５ａにおいて、回転機構は、被検体の他の一部１０８を押さえる方向Ａへ復元力の働く回転系のバネを含むことが好ましい。バネは、例えば、回転部２３の回転軸を周回し、両端部がそれぞれ第１アーム１１と支持体２２とに配置され、方向Ａへ復元力の働くものを用いることができる。バネの復元力により方向Ａへ支持体２２を回転させる力が働くので、支持体２２はパッド１４を方向Ａへ押さえることができる。これにより、パッド１４の脱落を防ぐことができる。
【００４７】
さらに、図５に示すパッド保持部１５ａにおいて、回転機構は、被検体の他の一部１０８から遠ざかる方向Ｂへの回転を制限するラッチ機構を含むことが好ましい。図６は、ラッチ機構の一例を示す模式図である。図６は、ラッチ機構の拡大図であり、回転部２３に設けられた歯車と支持体２２がかみ合った様子を示す。回転部２３の歯車は、三角形の歯が並んでいる。さらにそれぞれの歯の方向Ｂ側は、斜辺となる直角三角形となっている。支持体２２は、回転部２３の歯と勘合する凸部を有している。凸部は方向Ａ側が斜辺となっている。ラッチ機構はこれに限定するものではない。例えば、回転部２３の歯の形状は、四角形であってもよい。また、支持体の凸部が複数であってもよい。回転機構がラッチ機構を含めば、図５に示すパッド保持部１５ａは、方向Ｂへの支持体２２の回転を制限することができる。これにより、パッド１４の脱落を防ぐことができる。
【００４８】
図７は、本実施形態に係る血圧計の第３形態を示す模式図である。図７に示す血圧計９４は、図１に示すパッド保持部１５に代えて、方向Ａ及び方向Ｂにパッド１４を移動させる移動機構を有するパッド保持部１５ｂを備える。ここで、図７では、方向Ａ及び方向Ｂは、第１アーム１１の一端３１ａと他端３２ａとを結ぶ直線に平行な直線上の方向である。方向Ａは、被検体の他の一部１０８を押さえる方向である。例えば、第１アーム１１の他端３２ａから一端３１ａへの方向とすることができる。方向Ｂは、被検体の他の一部１０８から遠ざかる方向である。例えば、第１アーム１１の一端３１ａから他端３２ａへの方向とすることができる。また、方向Ｂは、方向Ａの逆方向であってもよい。パッド保持部１５ｂは、例えば、パッド１４を保持する支持体２２と、支持体２２を第１アーム１１の一端３１ａの方向Ａへ移動させる移動部２４とを備えるものを用いることができる。支持体２２は、前述の図５で説明したものと同様のものを用いることができる。移動部２４は、第１アーム１１の一端３１ａと他端３２ａとの間を平行移動するものであり、例えばスライドレール又はラックアンドピニオンを用いることができる。移動機構によってパッド１４を方向Ａ又は方向Ｂへ移動させることができるので、カフ１３ａ及びカフ１３ｂの装着を容易にすることができる。さらに、第１アーム１１を動かすことなくパッド１４で被検体の他の一部１０８を押さえることが可能になる。
【００４９】
図７に示すパッド保持部１５ｂにおいて、移動機構は、方向Ａへ復元力の働く並進系のバネを含むことが好ましい。バネは、例えば、両端部がそれぞれ第１アーム１１の他端３２ａと移動部２４とに取り付けられ、方向Ａへ伸びる方向に復元力の働くものを用いることができる。方向Ａへ支持体２２を移動させる復元力が働くので、支持体２２はパッド１４を方向Ａへ押さえることができる。これにより、パッド１４の脱落を防ぐことができる。
【００５０】
さらに、図７に示すパッド保持部１５ｂにおいて、移動機構は、被検体の他の一部１０８から遠ざかる方向Ｂへの移動を制限するラッチ機構を含むことが好ましい。ラッチ機構は、例えば、前述の図６に示した構成と同様のものを用いることができる。この場合、例えば、図６に示す回転部２３の歯車状の凹凸が第１アーム１１のレールに設けられ、図６に示す支持体２２の凸部が移動部２４に設けられた構成とすることができる。移動機構がラッチ機構を含めば、パッド１４が被検体の耳介から外れる方向Ｂへのパッド１４の動きを制限することができる。これにより、パッド１４の脱落を防ぐことができる。
【００５１】
図８は、本実施形態に係る血圧計の第４形態を示す模式図である。図８に示す血圧計９５は、図１に示すパッド保持部１５に代えて、第１アーム１１の他端３２ａのある耳介の表側から耳介の裏側まで、耳輪１０６を迂回するように湾曲しているパッド保持部１５ｃを備える。パッド保持部１５ｃと第１アーム１１との接続部分は、前述の図５又は図６で説明したパッド保持部１５ａ又はパッド保持部１５ｂのように、回転できるようになっていてもよいし、移動できるようになっていてもよい。さらに、回転及び移動ができるようになっていてもよい。血圧計９５は、パッド保持部１５が耳介の形状に合わせた形状となっているので、カフ１３ａ及びカフ１３ｂ並びにパッド１４を安定して保持することができる。
【００５２】
図１に示す挟持用パッド１６は、第１アーム１１にパッド１４と対向して配置され、パッド１４とで被検体の他の一部１０８を挟持するものである。挟持用パッド１６は、パッド１４と同様のものを用いることができる。また、２以上の部材から構成され、開放されている先端にパッド１４と同様のものを用いているものを用いてもよい。挟持用パッド１６は、先端がパッド１４と対向していてもよいし、側面の一部がパッド１４と対向していてもよい。また、挟持用パッド１６は、パッド１４が耳介の裏側から押さえる被検体の他の一部１０８を、耳介の表側から押さえることが好ましい。パッド１４と挟持用パッド１６とが被検体の他の一部１０８を挟持するので、パッド１４は耳介の裏側を安定して押さえることができる。また、パッド１４の脱落を防ぐことができる。これにより、カフ１３ａ及びカフ１３ｂの脱落を防ぐことができる。さらに、カフ１３ａ及びカフ１３ｂが被検体の一部１０５を押圧する効率を高めることができる。
【００５３】
圧力検出手段（不図示）は、カフ１３ａ及びカフ１３ｂが被検体の一部１０５を押圧する圧力である押圧圧力値を検出するものである。例えば、カフ１３ａ内又はカフ１３ｂ内の圧力を検出する気圧計を用いることができる。又、カフ１３ａ又はカフ１３ｂの表側に加わる機械的エネルギーを電気エネルギーに変換するものでもよく、例えば、圧電方式、静電誘導方式、電磁誘導方式がある。圧電方式であれば、例えば、バイモルフ、モノモルフ、ユニモルフ、積層型、ムーニー型、マルチムーニー型、シンバル型などのセラミック単体の変位を利用するものがある。
【００５４】
脈波検出手段（不図示）は、カフ１３ａ及びカフ１３ｂの押圧する被検体の一部１０５の脈波を検出するものである。例えば、カフ１３ａからカフ１３ａの外部へ出射光を出射する発光素子と、発光素子の出射した出射光が被検体の一部１０５で反射された反射光をカフ１３ａで受光する受光素子とを有するものである。発光素子は、例えば端面発光型レーザ、面発光レーザ、又はＬＥＤを用いることができる。出射する光の波長、振幅、位相等の特性は限定しない。例えば、被検体の一部１０５に含まれる血管によって散乱される光であってもよい。また、被検体の一部１０５の血管内部を流動するヘモグロビン等の流動物によって散乱される光であってもよい。受光素子は、例えば、シリコンフォトダイオードなどのフォトダイオード、ＣｄＳなどの光電導素子、光電管、ポジションセンサー、ＣＣＤ、ＭＯＳなどによって受光するものを用いることができる。受光する光の波長、振幅、位相等の特性は限定しない。さらに、発光素子及び受光素子は、ドップラーレーダーであってもよい。光を用いた脈波の検出は外部からの振動の影響が少ないので、脈波が微弱となる末梢血管からも脈波を効率よく検出することができる。したがって、発光素子及び受光素子を用いることで、脈波を効率よく検出することができる。なお、脈波検出手段は上記に限定するものではなく、例えば、被検体の一部１０５の動脈のコロトコフ音を検出するもの、脈動による圧力又は振動を検出して圧脈を検出するものでもよい。
【００５５】
空気ポンプ（不図示）は、カフ１３ａ及びカフ１３ｂの圧力を可変するものである。すなわち、空気ポンプは、カフ１３ａ及びカフ１３ｂが被検体の一部を押圧する圧力である押圧圧力値を可変するものである。空気ポンプは、例えば、カフ１３ａ及びカフ１３ｂ内へ外部から吸気した空気をカフ１３ａ及びカフ１３ｂに供給してカフ１３ａ及びカフ１３ｂの圧力を増加させ、カフ１３ａ及びカフ１３ｂ内の空気を外部へ排気してカフ１３ａ及びカフ１３ｂの圧力を減少させるものである。空気ポンプは、一気に所定圧力までカフ１３ａ及びカフ１３ｂの圧力を増加させ、一定速度で圧力を減少させるものが好ましい。また、一定速度で所定圧力までカフ１３ａ及びカフ１３ｂの圧力を増加させるものでもよい。所定圧力は、動脈の血流が停止する程の圧力であり、例えば、被検体の最高血圧値よりも３０ｍｍＨｇ程高い圧力である。さらに、空気ポンプは、所定時間ごとにカフ１３ａ及びカフ１３ｂの圧力の増加を開始することが好ましい。所定時間は、予め設定されている時間であり、所定時刻としてもよい。所定時間は、被検体に応じて可変であることが好ましい。また、外部から入力された信号に応じてカフ１３ａ及びカフ１３ｂの圧力の増加を開始してもよい。
【００５６】
本実施形態に係る血圧計９１の動作について図１及び図９を用いて説明する。図９は、血圧値の測定例を示すグラフであり、（ａ）は圧力の時間推移、（ｂ）は脈動波形の時間推移を示す。図９（ａ）では、心臓の鼓動による被検体の一部の周期的な動脈内圧６１と、カフ１３ａ及びカフ１３ｂが被検体の一部１０５を押圧する圧力である押圧圧力値６２とを示す。図９（ｂ）に示す脈動波形６３は、脈波検出手段の検出した脈波信号の波形を示す。
【００５７】
空気ポンプ（不図示）が吸気し、カフ１３ａ及びカフ１３ｂを膨張させ、被検体の一部１０５を押圧する押圧圧力値６２を動脈の血流が停止する程の圧力値Ｐ０まで増加させる。このときの時間はＴ０であり、時間Ｔ０において脈動波形６３はほぼ検出されない。
【００５８】
ここで、カフ１３ａ及びカフ１３ｂが被検体の一部１０５を押圧する際、第１アーム１１及び第２アーム１２が大きく動く。しかし、パッド１４が耳介の裏側を押さえ、第１アーム１１の動きを制限しているので、カフ１３ａ及びカフ１３ｂが被検体の一部１０５から脱落することもなく、安定して押圧することができる。
【００５９】
空気ポンプ（不図示）は、時間Ｔ０から排気を開始し、押圧圧力値６２を徐々に減少させていく。押圧圧力値６２が動脈内圧６１の最高値と等しくなった時間Ｔ１から被検体に血液が流れ始め、脈動波形６３が出現する。この時間Ｔ１での押圧圧力値６２が収縮期血圧値Ｐ１となる。時間Ｔ１から脈動波形６３の振幅は徐々に高くなり、時間Ｔ２で最大となる。この時間Ｔ２での押圧圧力値６２が、動脈内圧６１の拡張期血圧値Ｐ２となる。このようにして、収縮期血圧値Ｐ１、拡張期血圧値Ｐ２を決定し、血圧値を測定することができる。なお、血圧値の測定方法は上記に限定されるものではない。
【００６０】
なお、血圧計９１は、第１アーム１１、第２アーム１２、パッド１４の順に配置されているが、これに限定するものではない。図１０は、本実施形態に係る血圧計の第５形態を示す模式図である。図１０に示す血圧計９２は、図１に示す第１アーム１１、第２アーム１２及びパッド１４の配置と異なり、第２アーム１２、第１アーム１１、パッド１４の順に配置されている。前述の血圧計９１、９３、９４、９５は、血圧計９２のように、第２アーム１２、第１アーム１１、パッド１４の順に配置されていてもよい。
【００６１】
以上説明したように、本実施形態に係る血圧計９１、９２、９３、９４、９５は、２個のカフ１３ａ、１３ｂが被検体の一部１０５を挟んで押圧するので、被検体の外耳に装着して血圧値を測定することができる。さらに、パッド１４が被検体の他の一部となる耳介を耳介の裏側から押さえているので、カフ１３ａ及びカフ１３ｂの脱落を防ぎ、２個のカフ１３ａ、１３ｂは被検体の一部１０５を安定して押圧することができる。したがって、継続的な血圧値の測定が可能でありかつ被検体の一部を安定して押圧することのできる血圧計の提供が可能となる。
【産業上の利用可能性】
【００６２】
本発明は、アームを耳介に装着し、耳介の一部を安定して押圧することができるので、骨伝導ヘッドホンとしても利用できる。
【図面の簡単な説明】
【００６３】
【図１】本実施形態に係る血圧計の第１形態を示す模式図である。
【図２】パッドの第１形態を示す模式図である。
【図３】パッドの第２形態を示す模式図である。
【図４】パッドの第３形態を示す模式図である。
【図５】本実施形態に係る血圧計の第２形態を示す模式図である。
【図６】ラッチ機構の一例を示す模式図である。
【図７】本実施形態に係る血圧計の第３形態を示す模式図である。
【図８】本実施形態に係る血圧計の第４形態を示す模式図である。
【図９】血圧値の測定例を示すグラフであり、（ａ）は圧力の時間推移、（ｂ）は脈動波形の時間推移を示す。
【図１０】本実施形態に係る血圧計の第５形態を示す模式図である。
【符号の説明】
【００６４】
１１  第１アーム
１２  第２アーム
１３  カフ
１４  パッド
１５  パッド保持部
１６  挟持用パッド
２１  接続部
２２、４１  支持体
２３、４２  回転部
２４  移動部
３１  一端
３２  他端
３３、３４  パッドの端部
５１  接続部材
６１  動脈内圧
６２  押圧圧力値
６３  脈動波形 
９１、９２、９３、９４、９５  血圧計
１０１  耳介
１０５  耳珠（被検体の一部）
１０６  耳輪
１０７  対輪
１０８  被検体の他の一部
１０９  後頭部
１１０  耳甲介
１２１  耳介の上端部
１２２  耳介の下端部
Ａ  被検体の他の一部を押さえる方向
Ｂ  被検体の他の一部から遠ざかる方向
Ｃ  第１アームとパッド保持部とのなす角度
Ｇ  重力方向
【図１】
2007029244.tif 000003
【図２】
2007029244.tif 000004
【図３】
2007029244.tif 000005
【図４】
2007029244.tif 000006
【図５】
2007029244.tif 000007
【図６】
2007029244.tif 000008
【図７】
2007029244.tif 000009
【図８】
2007029244.tif 000010
【図９】
2007029244.tif 000011
【図１０】
2007029244.tif 000012